(57)【要約】【課題】視野をカバーするのに十分な照度を有する監視カメラを提供する。【解決手段】監視カメラは、位置決めベース部、取付けベース部、球体部、及びカメラ組立部を備えている。位置決めベース部は天井若しくは壁面若しくはそれに類する場所に取り付けられる。取付けベース部は、位置決めベース部に対し係止、若しくは取り外し可能であり、外面、カメラ収納部、テーパ状をなす側壁、パネル収納部、及び発光体を有する。パネル収納部は側壁に形成されている。発光体はパネル収納部に設置されており、関心領域を照らしており、ブラケット、ボード、このボード上に設置された回路基板、及び回路基板上に設置された複数の発光ダイオード（ＬＥＤ群）を有し、ＬＥＤ群はより幅広い照明範囲及びより強い光をもたらす。カメラ組立部は取付けベース部に枢動可能に取り付けられている。それゆえ、監視カメラはより鮮明で、より完全な画像を得ることができる。【選択図】図２
0003138689.tif 000002
【実用新案登録請求の範囲】
【請求項１】
取付けベース部であって、
内面と、
外面と、
内端を有し、前記外面に向かってテーパ状をなす側壁と、
前記取付けベース部の前記外面に形成されたカメラ収納部と、
該カメラ収納部に互いに平行に取り付けられた、２つのアームと、
前記取付けベース部の前記側壁の前記内端に形成されると共に、底縁を備えたパネル収納部と、
光を供給するために、前記パネル収納部に取り付けられた発光体であって、
前記取付けベース部の前記側壁に対応し、前記パネル収納部に取り付けられたブラケットと、
前記ブラケットに取り付けられたボードと、
前記ボードに取り付けられた基板と、
前記基板上に整列して取り付けられた複数の発光ダイオードと、を備えた発光体と、
を備えた取付けベース部と、
前記パネル収納部に設置され、前記ボード、前記基板、及び前記ＬＥＤを覆っているカバーと、
前記取付けベース部の前記外面に取り付けられた球体部と、
前記取付けベース部の前記アームの間に枢動可能に取り付けられたカメラ組立体であって、
外面と、
前記カメラ組立部の前記外面に取り付けられ、前記カメラ組立部の前記外面から横方向に突出したレンズと、を備えたカメラ組立体と、
を備えている、監視カメラ。
【請求項２】
位置決めベース部であって、
締結面と、
内面と、
前記位置決めベース部の前記締結面から突出し、各々が遠位端部を具備している複数の管と、
弧状をなし、前記位置決めベース部を貫通して形成された複数の貫通孔と、
を備えた位置決めベース部、を備え、
前記取付けベース部は、前記位置決めベース部の前記内面に取り付けられており、且つ、前記取付けベース部は、
前記取付けベース部上に形成され、該取付けベース部の前記内面に平行に突出していると共に、前記位置決めベース部の前記貫通孔を通ってそれぞれ選択的に取り付けられた複数のＬ字状のラッチ部を備え、該ラッチ部の各々が、内面及び遠位端部を具備している、請求項１に記載の監視カメラ。
【請求項３】
前記位置決めベース部が更に、
該位置決めベース部の前記締結面に形成され、前記貫通孔とそれぞれ連通していると共に、遠位端部を備えている複数の取付け溝と、
前記遠位端部近傍で前記取付け溝内にそれぞれ形成された複数の戻り止めと、
を具備しており、
前記取付けベース部の各々のラッチ部が更に、
該ラッチ部の前記遠位端部近傍の前記内面に形成され、前記取付けベース部の前記内面とは反対側にあり、対応する所定の取付け溝に沿って移動して対応する所定の戻り止めと係合するための突起部、
を具備している、請求項２に記載の監視カメラ。
【請求項４】
前記位置決めベース部が更に、前記管を通してそれぞれ取り付けられ、前記管の遠位端部から突出している複数のねじを具備している、請求項２に記載の監視カメラ。
【請求項５】
前記位置決めベース部が更に、前記管を通してそれぞれ取り付けられ、前記管の遠位端部から突出している複数のねじを具備している、請求項３に記載の監視カメラ。
【請求項６】
前記発光体のブラケットが、
前記パネル収納部の前記底縁と接続された脚部と、
前記パネル収納部及び前記取付けベース部の前記側壁に対応している突出面と、
を具備しており、
前記発光体の前記ボードが前記ブラケットの前記突出面に取り付けられている、請求項１に記載の監視カメラ。
【請求項７】
前記発光体の前記ブラケットが、
前記パネル収納部の前記底縁と接続された脚部と、
前記パネル収納部及び前記取付けベース部の前記側壁に対応している突出面と、
を具備しており、
前記発光体の前記ボードが前記ブラケットの前記突出面に取り付けられている、請求項５に記載の監視カメラ。
【考案の詳細な説明】
【技術分野】
【０００１】
本考案は監視カメラ、特に発光ダイオードモジュール及び広い照射場を有するカメラに関するものである。
【背景技術】
【０００２】
監視カメラは天井、壁面、若しくは建物の類、特にエレベータ内若しくは主要な交差点に取り付けられ、そうした場所で発生した全ての状況を記録し、重要な局面において強力な証拠を提供する。
【０００３】
図６を参照すると、従来の監視カメラはベース部６０、球体部（globe）７０、ブラケット、及びカメラ組立部８０を備えている。
【０００４】
ベース部６０は天井、壁面、若しくはこれに類する場所に、監視カメラが特定の関心領域に向くように安全に取り付けられており、内面及び収納部を備えている。収納部はベース部６０の内面に形成されている。
【０００５】
球体部７０はベース部６０の内面に対向して取り付けられており、ベース部６０の収納部を覆っている。
【０００６】
ブラケットはベース部６０の収納部に取り付けられており、２つのアーム６１を備えている。
【０００７】
カメラ組立部８０は、ブラケットの２つのアーム６１の間で枢動可能に取り付けられており、外面、レンズ８１、基板８２、複数をパッケージ化した発光ダイオード８３を備えている。レンズ８１は、カメラ組立部８０に取り付けられ、カメラ組立部の外面から横方向に突出している。回路基板８２は、カメラ組立部８０の外面の前面、レンズ８１の周囲に設置されており、外面及び取付け孔８２１を備えている。取付け孔８２１はレンズ８１の周囲に備え付けられる。パッケージ化された発光ダイオード８３は、関心領域を照らすために、基板８２の外面上に設置されており、レンズ８１が明瞭な画像を取得できるようにしている。ライト・シェード８４は基板８２の外面に取り付けられており、パッケージ化された発光ダイオード８３からの光が直接レンズに入らないように、基板８２の取付け孔８２１及びレンズ８１の周囲に設置されている。
【０００８】
更に図７を参照すると、従来の監視カメラには多くの欠点がある。カメラ組立部８０の外面の前面に位置するレンズ８１の周囲に設置された基板８２のせいで、最大の角度ではパッケージ化された発光ダイオード８３がベース６０に接してしまうため、レンズが向くことができる方向に制限が生じる。加えて、各々のパッケージ化された発光ダイオード８３は内部に１つだけのチップパッケージを有しているので、その光を集光し、よい明るい光を得るように通常設計されている。それゆえ、パッケージ化された発光ダイオード８３の照明の範囲と奥行きは減少し、レンズ８１の視野より狭くなる。レンズ８１の視野の縁ははっきりと画像を識別するにはしばしば暗くなりすぎる。更に、ベース部６０に取り付けられたカメラ組立部８０による監視カメラは、天井若しくは壁面に設置し、正確に関心領域を狙う事が難しい。それゆえ、監視カメラを正確に設置し、正確な狙いを実現するためには、何度もの修正がたびたび必要とされており、その間はカメラ組立部８０が損傷する可能性もある。整備するためには、監視カメラ全体を天井若しくは壁面から取り外さなければならないが、それは面倒なことであり、天井若しくは壁面が汚れる原因にもなる。
【０００９】
これらの欠点を克服するために、本考案は上記の問題を補う、又は取り除くための監視カメラを提供する。
【考案の開示】
【考案が解決しようとする課題】
【００１０】
本考案の主たる目的は、視野をカバーするのに十分な照度を有する監視カメラを提供することである。
【課題を解決するための手段】
【００１１】
本考案に従った監視カメラは、位置決めベース部、取付けベース部、球体部及びカメラ組立部を備えている。位置決めベース部は天井若しくは壁面、若しくはそれに類する部分に取り付けられる。取付けベース部は位置決めベース部に対し係止、又は取り外すことが可能であり、外面、カメラ収納部（camera recess）、テーパ状をなす側壁、パネル収納部、及び発光体を備えている。パネル収納部は側壁に形成されている。発光体はパネル収納部に取り付けられており、関心領域を照らしており、ブラケット、ボード、このボード上に設置された基板、及び基板上に形成された複数の発光ダイオード（ＬＥＤ群）を具備している。基板上に設置されたＬＥＤ群はより幅広い照明範囲及びより強い光をもたらす。カメラ組立部は取付けベース部に枢動可能に取り付けられている。それゆえ、監視カメラはより鮮明で、より完全な画像を得ることができる。
【００１２】
他の目的として、本考案の有利点及び新しい特徴は、添付図面と併せて以下の詳細な記述からより明白になるであろう。
【考案を実施するための最良の形態】
【００１３】
図１を参照すると、本考案による監視カメラは、任意追加的な位置決めベース部１０、取付けベース部２０、球体部３０、及びカメラ組立部４０を備えている。
【００１４】
更に図２及び５を参照すると、位置決めベース部１０は天井、壁面、若しくはこれらに類するものに取り付けられており、締結面（fastening surface）、内面、複数の管１１、複数の任意追加的なねじ１２、複数の貫通孔１３、複数の任意追加的な取付け溝１４、及び複数の任意追加的な戻り止め１５を具備している。管１１は位置決めベース部１０の締結面から突出しており、各々の管１１は遠位端部を有している。ねじ１２はそれぞれ管１１を通して取り付けられており、位置決めベース部１０を天井、壁面、若しくはそれに類する場所に取り付けるために、管１１の遠位端部から突出している。貫通孔１３は弧状をなしており、位置決めベース部１０を貫通するように形成されている。取付け溝１４は、位置決めベース部１０の締結面上に形成されており、貫通孔１３及び遠位端部を有する取付け溝によってそれぞれ連通している。戻り止め１５は取付け溝１４の遠位端部付近にそれぞれ形成される。
【００１５】
更に図３を参照すると、取付けベース部２０は位置決めベース部１０の内面に取り付けることができ、内面、外面、側壁、カメラ収納部、２つのアーム２１、複数の任意追加的なラッチ部２２、パネル収納部２３、及び発光体２４を備えている。
【００１６】
取付けベース部２０の側壁は外面に向かってテーパ状をなしており、内端を備えている。
【００１７】
カメラ収納部は取付けベース部２０の外面に形成されている。
【００１８】
アーム２１はカメラ収納部に互いに平行に設置されている。
【００１９】
更に図４を参照すると、ラッチ部２２はＬ字状であり、取付けベース部２０の内面に形成され、取付けベース部２０の内面に平行に突出しており、取付けベース部２０が相対的に回動し、位置決めベース部１０に取り付けられるように、位置決めベース部１０の貫通孔１３と通して、それぞれ選択的に取り付けられている。各々のラッチ部２２は内面、遠位端部及び任意追加的な突起部２２１を有している。突起部２２１はラッチ部２２の遠位端部に近い内面に形成されており、取付けベース部２０の内面とは反対側にあり、合致する戻り止め１５と係合するまで取付け溝１４に沿って移動する。
【００２０】
パネル収納部２３は取付けベース部２０の側壁の内端に形成され、底縁を有している。
【００２１】
発光体２４はパネル収納部２３に取り付けられており、要求される関心領域を照らし、ブラケット２４１、ボード２４２、基板２４３、複数の発光ダイオード（ＬＥＤ群）２４４、及びカバー２４５を有している。ブラケット２４１は基本的にＬ字状で、取付けベース部２０の側壁に対応しており、パネル収納部２３に取り付けられており、脚部及び突出した面を有している。脚部はパネル収納部２３の底端に接続されている。突出した面はパネル収納部２３及び取付けベース部２３の側壁と一致している。ボード２４２はブラケット２４１の突出した面に取り付けられている。回路基板２４３はボード２４２に取り付けられている。ＬＥＤ群２４４は回路基板２４３に整列して取り付けられている。カバー２４５はパネル収納部２３に取り付けられ、ボード２４２、基板２４３及びＬＥＤ群２４４を覆っている。
【００２２】
球体部３０は取付けベース部２０の外面に取り付けられている。
【００２３】
カメラ組立部４０は取付けベース部２０のアーム２１の間に枢動可能に取り付けられており、外面とレンズ４１を有している。レンズ４１はカメラ組立部４０に取り付けられており、カメラ組立部の外面から横方向に突出している。
【００２４】
更に図５を参照すると、記述されているような監視カメラは以下のような有利点を有している。発光体２４は基板２４３に取り付けられた複数のＬＥＤ群を備えており、十分に明るい。それゆえ、ＬＥＤ群２４４から適切に光を広げるために特別なレンズ若しくはデザインを必要とせず、及びＬＥＤ群はより幅広い照明範囲を有し、カメラ組立部４０の関心領域をカバーする。それゆえ、監視カメラはより鮮明で、より完全な画像を得ることができる。更に、位置決めベース部が軽量で厚いため、使用者は容易に、かつ正確に特定の位置へ固定することができ、監視カメラを形成するために、取付けベース部２０を位置決めベース部１０に係止することができる。また、使用者は、カメラ組立部４０を整備するために取付けベース部２０を取り外すために、取付けベース部２０を位置決めベース部１０と相対的に回転させることができ、これによりカメラを壁面に再度取り付ける必要はなくなる。
【図面の簡単な説明】
【００２５】
【図１】本考案による監視カメラの斜視図である。
【図２】図１の監視カメラの分解斜視図である。
【図３】図１の監視カメラの部分的な分解斜視図である。
【図４】図１の監視カメラの側面の部分断面図である。
【図５】図１の監視カメラの使用状態の側面図である。
【図６】従来の監視カメラの分解斜視図である。
【図７】図６の従来の監視カメラの使用状態の側面の部分断面図である。
【符号の説明】
【００２６】
１０    位置決めベース部
１１    管
１２    ねじ
１３    貫通孔
１４    取付け溝
１５    戻り止め
２０    取付けベース部
２１    アーム
２２    ラッチ部
２２１  突起部
２３    パネル収納部
２４    発光体
２４１  ブラケット
２４２  板
２４３  基板
２４４  ＬＥＤ群
２４５  カバー
３０    球体部
４０    カメラ組立部
４１    レンズ
６０    ベース部
６１    アーム
７０    球体部
８０    カメラ組立部
８１    レンズ
８２    基板
８２１  取付け孔
８３    パッケージ化した発光ダイオード
８４    ライト・シェード
【図１】
0003138689.tif 000003
【図２】
0003138689.tif 000004
【図３】
0003138689.tif 000005
【図４】
0003138689.tif 000006
【図５】
0003138689.tif 000007
【図６】
0003138689.tif 000008
【図７】
0003138689.tif 000009